(57)【要約】【課題】レール枠や鴨居或いは敷居と云った長尺部材同士を簡単に見栄えよく直角に連結することができるのに加え、左右の長尺部材の形状が異なっていても、或いは長尺部材に設けるレール部材の本数が異なっていても簡単な端部加工で対応でき、少ない部品点数で多くの形状組み合わせに対応可能な長尺部材用のコーナー連結具を提供する。【解決手段】区画用間仕切り部材Ｄのガイド用のレール部材を取着する軸方向溝ｍが形成された一対の長尺部材Ｌ同士を直角に連結するコーナー連結具１０であって、長尺部材Ｌとの連結面１２aにおいて該長尺部材Ｌの軸方向溝ｍに連続する掘込溝１４がその一面にＬ形に凹設された方形板状の本体１２と、長尺部材Ｌとの連結面１２ａから長尺部材Ｌの側面Ｌａと軸方向溝ｍを構成する凸条畝部ｕの表面Ｌｂとを覆い、凸条畝部ｕを方形板状の本体１２の連結面１２ａに接続するＬ形係止片部１６とで構成されていることを特徴とする。【選択図】図２
2011214326.tif 000002
【特許請求の範囲】
【請求項１】
区画用間仕切り部材のガイド用のレール部材を取着する軸方向溝が形成された一対の長尺部材同士を直角に連結するコーナー連結具であって、
前記長尺部材との連結面において該長尺部材の軸方向溝に連続する掘込溝がその一面にＬ形に凹設された方形板状の本体と、
前記長尺部材との連結面から前記長尺部材の側面と軸方向溝を構成する凸条畝部の表面とを覆い、前記凸条畝部を方形板状の本体の連結面に接続するＬ形係止片部とで構成されていることを特徴とするコーナー連結具。
【請求項２】
前記Ｌ形係止片部の前記長尺部材の側面を覆う出隅側鍔から、該出隅側鍔に連なる前記本体の出隅側外面の全長に亘って前記出隅側鍔の反対方向に板状に延出した垂直鍔が設けられていることを特徴とする請求項１記載のコーナー連結具。
【請求項３】
前記本体の連結面に前記長尺部材を連接した時に前記長尺部材の軸方向溝より前記掘込溝の方が幅広の場合、前記掘込溝に沿って配設され、前記掘込溝と前記軸方向溝との溝幅差を埋める埋め部材をさらに備えることを特徴とする請求項１又は２に記載のコーナー連結具。
【発明の詳細な説明】
【技術分野】
【０００１】
本発明は、レール枠や鴨居或いは敷居と云った長尺部材の端部同士を直角に連結するコーナー連結具に関するものである。
【背景技術】
【０００２】
リビングの一角に小部屋を設けたり洋室の一部に畳コーナーを設置する場合など、角部に柱を設けない構造の開放された部屋を設置する際には、部屋を区画するために間仕切りや引戸が設けられている。このように間仕切りや引戸で部屋を区画する場合、その角部において、左右から突き合わされるレール枠や鴨居或いは敷居などの長尺部材の端部仕口に加工を施して直角に連結施工することとなる。その場合、一般的な留め加工や突き付け加工もされるが、レール枠や鴨居或いは敷居内に設けられたレール溝の端部同士が互いに連通可能となるようにして直角に連結施工することも多い。
【０００３】
ここで、左右から突き合わされるレール枠や鴨居或いは敷居などの形状が等しい場合には、レール枠やレール溝の端部同士が互いに連通可能となるようにして連結施工するのに差ほど手間はかからない。しかしながら、間仕切りや引戸の枚数が左右で異なる場合や、引違いや片引きなどと云った間仕切りや引戸の形態が左右で異なる場合には、左右から突き合わされるレール枠や鴨居或いは敷居と云った長尺部材のそれぞれが必ずしも同じ形状とはならず、このような場合には、仕口加工に更に手間がかかることとなる。例えば特許文献１には、互いに異なる列数の引戸溝を設けている敷居や鴨居の当該引戸溝を直角に連結施工できる水平構造材(長尺部材)として、互いに連結される端面を斜切し、引戸溝の外側縁を直角に連結できる位置に配置すると共に、引戸溝の内側縁に切除部を設けて互いに連結される引戸溝同士を直角に連結する水平構造材が提案されているが、端面の斜切する傾斜面は４５度ではなく左右の鴨居・敷居の幅に合わせる必要があり、また切除部も対応する溝本数にあわせて個別に設ける必要があるため、施工に手間がかかるという問題があった。
【０００４】
これに対し、特許文献２のように、「コーナー部に合わせた平面形状を持つコーナー前面板およびコーナー背面板と、コーナー前面板およびコーナー背面板をそれぞれの入隅端縁にて架橋するコーナー内側面板とを備え、コーナー前面板およびコーナー背面板の間に形成されている差込口に長尺部材の端部が差込可能となっており、差し込まれた長尺部材の端部前面をコーナー前面板が覆い、端部内側面をコーナー内側面板が覆い、また、コーナー前面板の出隅端縁よりもコーナー背面板の出隅端縁が外方に突出しており、このコーナー背面板の突出板部にてネジ止め可能となっている」コーナー部材を用いれば、長尺部材同士の連結施工を簡単に行うことができるようになる。
【０００５】
しかしながら、先述のように左右に連結される長尺部材は必ずしも同じ形状ではなく、数多くの組み合わせパターンが存在する。このためコーナー部材として数多くの組み合わせパターンに対応可能な多数種類のものを準備しておく必要があり、コーナー部材の製造や在庫の管理等が煩雑になると云う問題があった。また、このようなコーナー部材では左右に連結したレール枠やレール溝を互いに連通させることはできなかった。
【先行技術文献】
【特許文献】
【０００６】
【特許文献１】特開平１１−３１１０５３号公報
【特許文献２】特開２００７−５６５８８号公報
【発明の概要】
【発明が解決しようとする課題】
【０００７】
それゆえに、本発明の主たる課題は、レール枠や鴨居或いは敷居と云った長尺部材同士を簡単に見栄えよく直角に連結することができるのに加え、左右の長尺部材の形状が異なっていても、或いは長尺部材に設けるレール部材の本数が異なっていても簡単な端部加工で対応でき、少ない部品点数で多くの形状組み合わせに対応可能な長尺部材用のコーナー連結具を提供することである。
【課題を解決するための手段】
【０００８】
「請求項１」に記載した発明は、
（ａ）区画用間仕切り部材Ｄのガイド用のレール部材（図示せず）を取着する軸方向溝ｍが形成された一対の長尺部材Ｌ同士を直角に連結するコーナー連結具１０であって、
（ｂ）前記長尺部材Ｌとの連結面１２aにおいて該長尺部材Ｌの軸方向溝ｍに連続する掘込溝１４がその一面にＬ形に凹設された方形板状の本体１２と、
（ｃ）前記長尺部材Ｌとの連結面１２ａから前記長尺部材Ｌの側面Ｌａと軸方向溝ｍを構成する凸条畝部ｕの表面Ｌｂとを覆い、前記凸条畝部ｕを方形板状の本体１２の連結面１２ａに接続するＬ形係止片部１６とで構成されていることを特徴とする
（ｄ）コーナー連結具１０、である。
【０００９】
「請求項２」に記載した発明は、請求項１に記載のコーナー連結具１０において、「前記Ｌ形係止片部１６の長尺部材Ｌの側面Ｌａを覆う出隅側鍔１６ａから、該出隅側鍔１６ａに連なる本体１２の出隅ｄ側外面の全長に亘って出隅側鍔１６ａの反対方向に板状に延出した垂直鍔１８が設けられている」ことを特徴とする。
【００１０】
「請求項３」に記載した発明は、請求項１又は２に記載のコーナー連結具１０において、「本体１２の連結面１２ａに前記長尺部材Ｌを連接した時に長尺部材Ｌの軸方向溝ｍより掘込溝１４の方が幅広の場合、掘込溝１４に沿って配設され、掘込溝１４と軸方向溝ｍとの溝幅差Ｗを埋める埋め部材２０をさらに備える」ことを特徴とする。
【発明の効果】
【００１１】
請求項１に記載の発明によれば、長尺部材の端部を略直角にカットして該端部を本体の連結面に当接させるだけで左右の長尺部材を直角に連結できるため、現場での加工手間がかからず、誰でも簡単にコーナー部分を形成することができる。特に長尺部材が鴨居の場合には、Ｌ形係止片部で長尺部材の端部を支えることができ、安全且つスピーディーに施工することができる。また、連結面に当接させた長尺部材の端部は、Ｌ形係止片部で覆われるようになるため、長尺部材端部の加工にバラツキがあった場合でも当該端部をすっきり綺麗に納めることができ、コーナー部分を見栄え良く仕上げることができる。さらに、本体には掘込溝が設けられているので、長尺部材の軸方向溝に設けられたレール部材を本体内部の適当な箇所まで挿入可能となり、間仕切りや引戸などの区画用間仕切り部材の移動距離をより長く取れてより広い開口が可能となると共に収まりが良くなる。
【００１２】
また、請求項２に記載の発明によれば、垂直鍔によって、長尺部材に取り付けられ且つ掘込溝に延設されたレール部材の木口及び側面を隠すことができ、コーナー連結具を用いて構成したコーナー部分をスッキリと美観よく纏めることができる。
【００１３】
さらに、請求項３に記載の発明によれば、埋め部材を用いることで掘込溝と軸方向溝との溝幅差を埋めることができ、それゆえ左右の長尺部材それぞれに設けられたレール部材の本数が少ない場合やその数が左右で異なる場合であってもレール部材が安定して区画用間仕切り部材の開閉がスムーズになると共に、コーナー部分をより一層スッキリと美観よく纏めることができる。
【００１４】
したがって、本発明によれば、レール枠や鴨居或いは敷居と云った長尺部材同士を簡単に見栄えよく直角に連結することができるのに加え、左右の長尺部材の形状が異なっていても、或いは長尺部材に設けるレール部材の本数が異なっていても簡単な端部加工で対応でき、少ない部品点数で多くの形状組み合わせに対応可能な長尺部材用のコーナー連結具を提供することができる。
【図面の簡単な説明】
【００１５】
【図１】本発明のコーナー連結具の使用態様の一例を示す説明図である。
【図２】本発明の一実施例のコーナー連結具を示す斜視図である。
【図３】本発明の他の実施例のコーナー連結具(埋め部材使用)を示す斜視図である。
【発明を実施するための形態】
【００１６】
以下、本発明を図示実施例に従って説明する。図１は、本発明の長尺部材Ｌ用のコーナー連結具１０の使用態様の一例を示す説明図である。本発明のコーナー連結具１０は、リビング等の居室Ｒの一角に畳コーナーＴを設ける場合などのように、角部に柱を設けない構造の開放された部屋を設置する際、当該部屋を区画する引戸や間仕切り等の区画用間仕切り部材Ｄを取り付けるために設置される鴨居Ｌ１や敷居Ｌ２と云った長尺部材Ｌの端部同士を直角に連結するためのものである。
【００１７】
ここで、本発明のコーナー連結具１０で連結される長尺部材Ｌは、その表面に軸方向に延びる軸方向溝ｍが凹設されている。このため、この軸方向溝ｍの両側には凸条畝部ｕが形成されている。そして、この軸方向溝ｍには、区画用間仕切り部材Ｄの移動をガイドするためのレールやレール溝などのレール部材(図示せず)が必要数取り付けられている。
【００１８】
なお、図１に示す例では、鴨居Ｌ１の連結のみに本発明のコーナー連結具１０を用いているが、敷居Ｌ２同士の連結にも当然に用いることができる。
【００１９】
図２は、本発明の一実施例(第１実施例)のコーナー連結具１０を示す斜視図である。この図が示すように、本発明のコーナー連結具１０は、大略、方形板状の本体１２，掘込溝１４及びＬ形係止片部１６で構成されている。
【００２０】
方形板状の本体１２は、ＡＢＳ、ＰＰ、ＰＶＣ等の合成樹脂材料や木質材料、或いはアルミニウム、鉄、銅等の金属材料で構成されており、隣接する一対の側面は長尺部材Ｌの端面が連結される連結面１２ａとなっている。
【００２１】
また、本体１２を天井面や床面に設置した際にその表面側となる一面には、長尺部材Ｌとの連結面１２ａにおいて該長尺部材Ｌの軸方向溝ｍに連続する掘込溝１４がＬ形に凹設されている。
【００２２】
この掘込溝１４は、長尺部材Ｌの軸方向溝ｍに取り付けられたレール部材(図示せず)などを延伸して挿入するためのものである。従って、係る掘込部１４を設けることにより、区画用間仕切り部材Ｄの移動距離をより長く取ることができ、その結果、より広い開口が可能となると共に収まりを良くすることができる。また、掘込部１４の内部にて左右から延設したレール部材同士が互いに連通するように接続すると共に、区画用間仕切り部材Ｄがその端面に取り付けられたコロや滑車(図示せず)を介してレール部材を移動できるようにすれば、区画用間仕切り部材Ｄの全てを一方のレール部材側へと集約させることもできるようになる。
【００２３】
そして、この本体１２の連結面１２ａの外縁には、長尺部材Ｌを連結面１２ａに連結した際に、該長尺部材Ｌ端部の側面Ｌａと軸方向溝ｍを構成する凸条畝部ｕ端部の表面Ｌｂとを覆い、凸条畝部ｕを方形板状の本体１２の連結面１２ａに接続するＬ形係止片部１６が設けられている。
【００２４】
なお、本実施例のコーナー連結具１０では、Ｌ形係止片部１６の長尺部材Ｌの側面Ｌａを覆う出隅側鍔１６ａから、該出隅側鍔１６ａに連なる本体１２の出隅ｄ側外面の全長に亘って出隅側鍔１６ａの反対方向に板状に延出した垂直鍔１８が設けられている。このような垂直鍔１８を設けることにより、長尺部材Ｌに取り付けられ且つ掘込溝１４に延設されたレール部材(図示せず)の木口及び側面を隠すことができ、コーナー連結具１０を用いて構成したコーナー部分をスッキリと美観よく纏めることができる。ただし、コーナー連結具１０を敷居Ｌ２の連結に用いる場合には、このような垂直鍔１８を設けないのが好ましい。なぜなら、このような垂直鍔１８が床面上に段差となって現れ、特に老人や子供がこの垂直鍔１８に引っ掛かって転倒すると云った不安全な状態になると共に、垂直鍔１８自体も人が引っ掛かることによって破損し易くなるからである。
【００２５】
また、図２に示す実施例では、本体１２が正面視正方形状の板材で構成されると共に、コーナー連結具１０全体がシンメトリックな形状となるように形成されているが、コーナー連結具１０の形状は、左右の長尺部材Ｌを直角に連結でき得るものであれば、これに限定されるものではなく、例えば本体１２や掘込溝１４の形状が矩形(長方形)となるようにしてもよい。
【００２６】
また、コーナー連結具１０には、長尺部材Ｌの色に合わせて色付けしたり、化粧シート等を貼着して意匠性を向上させるようにしても良い。
【００２７】
さらに、図２に示す例のように、長尺部材Ｌから延伸して掘込溝１４に挿入されるレール部材の形状(例えば、左右に凸条ができるような形状)に合わせ、掘込溝１４の入口周縁部の肉を切り欠いて段部２２を設けるようにしてもよい。このような段部２２を設けることによってレール部材を美観よく納めることができるようになる。
【００２８】
次に、以上のように構成されたコーナー連結具１０を用いて鴨居Ｌ１を施工する際には、天井面の所定位置にネジ或いは接着剤などの固定手段でコーナー連結具１０を固定した後、該コーナー連結具１０における本体１２の連結面１２ａに鴨居Ｌ１となる長尺部材Ｌの端面を連結するようにしても良いし、先にコーナー連結具１０における本体１２の連結面１２ａに長尺部材Ｌの端面を連結した後、これらを天井面の所定位置に固定するようにしても良い。
【００２９】
本実施例のコーナー連結具１０によれば、長尺部材Ｌの端部を略直角にカットして該端部を本体１２の連結面１２ａに当接させるだけで左右の長尺部材Ｌを直角に連結できるため、現場での加工手間がかからず、誰でも簡単にコーナー部分を形成することができる。特に長尺部材Ｌが鴨居Ｌ１の場合には、Ｌ形係止片部１６で長尺部材Ｌの端部を支えることができ、安全且つスピーディーに施工することができる。また、連結面１２ａに当接させた長尺部材Ｌの端部は、Ｌ形係止片部１６で覆われるようになるため、長尺部材Ｌ端部の加工にバラツキがあった場合でも当該端部をすっきり綺麗に納めることができ、コーナー部分を見栄え良く仕上げることができる。さらに、本体１２には掘込溝１４が設けられているので、長尺部材Ｌの軸方向溝ｍに設けられたレール部材(図示せず)を本体１２内部の適当な箇所まで挿入可能となり、区画用間仕切り部材Ｄの移動距離をより長く取れてより広い開口が可能となると共にこれらの収まりが良くなる。
【００３０】
次に、図３に示す第２実施例について説明する。上述した第１実施例と異なる部分は、掘込溝１４内に埋め部材２０が取り付けられる点である。なお、これら以外の部分は前記第１実施例と同じであるので、前記第１実施例の説明を援用して本実施例の説明に代える。
【００３１】
埋め部材２０は、本体１２の連結面１２ａに長尺部材Ｌを連接した時に長尺部材Ｌの軸方向溝ｍより掘込溝１４の方が幅広の場合、掘込溝１４に沿って配設され、掘込溝１４と軸方向溝ｍとの溝幅差Ｗを埋めるためのものである。
【００３２】
この埋め部材２０は、コーナー連結具１０と同様に、ＡＢＳ、ＰＰ、ＰＶＣ等の合成樹脂材料や木質材料、或いはアルミニウム、鉄、銅等の金属材料で構成されており、所定の幅及び長さにて掘込溝１４の内部空間を埋める本体部２０ａと、この本体部２０ａで掘込溝１４を埋めた際にＬ形係止片部１６の水平鍔１６ｂと連接一体化される鍔部２０ｂとを有する。なお、埋め部材２０は、コーナー連結具１０と同じ材質でもよいし、異なっていてもよい。
【００３３】
この埋め部材２０は、コーナー連結具１０の掘込溝１４に挿入されるレール部材の本数に応じて、施工現場で取り付けるようにしてもよいが、予め掘込溝１４に取着させておけば、現場での施工性をより一層向上させることができる。
【００３４】
本実施例のコーナー連結具１０によれば、上述のような埋め部材２０を用いることで掘込溝１４と軸方向溝ｍとの溝幅差Ｗを埋めることができ、それゆえ左右の長尺部材Ｌそれぞれに設けられたレール部材の本数が少ない場合やその数が左右で異なる場合であってもレール部材が安定して区画用間仕切り部材Ｄの開閉がスムーズになると共に、コーナー部分をより一層スッキリと美観よく纏めることができる。
【符号の説明】
【００３５】
１０…コーナー連結具
１２…本体
１２ａ…連結面
１４…掘込溝
１６…Ｌ形係止片部
１８…垂直鍔
２０…埋め部材
Ｌ…長尺部材
ｍ…軸方向溝
ｕ…凸条畝部
【図１】
2011214326.tif 000003
【図２】
2011214326.tif 000004
【図３】
2011214326.tif 000005